【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  携帯可能であって自己を特定する情報と送信スイッチの操作情報とを電波で送信する送信器と、車両に固定され送信器からの電波を受信するとともに特定の送信器における送信スイッチの操作により動作が指示される受信器とを備え、受信器は、探索モードと警戒モードとの２種類の動作モードが選択可能であって送信器からの指示に応じて少なくとも探索モードを選択する受信回路と、所定距離から点灯状態が視認可能な報知灯と、警戒モードが選択されている期間に車両の走行を検知する走行センサと、警報音を報知する警報ブザーと、走行センサにより車両の走行が検知されると警報ブザーを鳴動させる警戒制御回路と、送信器からの探索モードの指示により報知灯を規定した時限期間内でのみ点灯制御する点灯制御回路とを備えることを特徴とする車両発見装置。
【請求項２】  携帯可能であって自己を特定する情報と送信スイッチの操作情報とを電波で送信する送信器と、車両に固定され送信器からの電波を受信するとともに特定の送信器における送信スイッチの操作により動作が指示される受信器とを備え、受信器は、探索モードと報知モードと警戒モードとの３種類の動作モードが選択可能であって送信器からの指示に応じて少なくとも探索モードと報知モードとが選択可能である受信回路と、所定距離から点灯状態が視認可能な報知灯と、警戒モードが選択されている期間に車両の走行を検知する走行センサと、警報音を報知する警報ブザーと、走行センサにより車両の走行が検知されると警報ブザーを鳴動させる警戒制御回路と、送信器からの探索モードの指示により報知灯を規定した時限期間内でのみ点灯制御するとともに送信器からの報知モードの指示により報知灯を継続的に点灯制御する点灯制御回路とを備えることを特徴とする車両発見装置。
【請求項３】  携帯可能であって自己を特定する情報と送信スイッチの操作情報とを電波で送信する送信器と、車両に固定され送信器からの電波を受信するとともに特定の送信器における送信スイッチの操作により動作が指示される受信器とを備え、受信器は、送信器からの指示に応じて探索モードと報知モードとの２種類の動作モードを選択する受信回路と、所定距離から点灯状態が視認可能な報知灯と、送信器からの探索モードの指示により報知灯を規定した時限期間内でのみ点灯制御するとともに送信器からの報知モードの指示により報知灯を継続的に点灯制御する点灯制御回路とを備えることを特徴とする車両発見装置。
【請求項４】  前記送信器から前記受信器に電波が到達する距離を前記報知灯の点灯が視認可能な距離に一致させるように設定したことを特徴とする請求項１ないし請求項３のいずれか１項に記載の車両発見装置。
【請求項５】  前記受信回路は前記送信器からの電波を待ち受ける期間には間欠駆動されることを特徴とする請求項１ないし請求項３のいずれか１項に記載の車両発見装置。
【請求項６】  前記報知灯は、前記受信器を前記車両に固定した状態で光の放射方向が水平面に対して所定角度で斜め上向きになるように配置されていることを特徴とする請求項１ないし請求項３のいずれか１項に記載の車両発見装置。
【請求項７】  前記報知灯は、前記車両の少なくとも左方向および右方向に光を放射するように複数個配置されるとともに、前記受信器を前記車両に固定した状態で光の放射方向が水平面に対して所定角度で斜め上向きになるように配置されていることを特徴とする請求項１ないし請求項３のいずれか１項に記載の車両発見装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項４の発明では、請求項１ないし請求項３の発明において、前記送信器から前記受信器に電波が到達する距離を前記報知灯の点灯が視認可能な距離に一致させるように設定したことを特徴とする。
【手続補正７】
【補正対象書類名】明細書
【補正対象項目名】００１４
【補正方法】変更
【補正の内容】
【００１４】
請求項５の発明では、請求項１ないし請求項３の発明において、前記受信回路は前記送信器からの電波を待ち受ける期間には間欠駆動されることを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
請求項６の発明では、請求項１ないし請求項３の発明において、前記報知灯は、前記受信器を前記車両に固定した状態で光の放射方向が水平面に対して所定角度で斜め上向きになるように配置されていることを特徴とする。
【手続補正１３】
【補正対象書類名】明細書
【補正対象項目名】００２０
【補正方法】変更
【補正の内容】
【００２０】
請求項７の発明では、請求項１ないし請求項３の発明において、前記報知灯は、前記車両の少なくとも左方向および右方向に光を放射するように複数個配置されるとともに、前記受信器を前記車両に固定した状態で光の放射方向が水平面に対して所定角度で斜め上向きになるように配置されていることを特徴とする。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００８５
【補正方法】削除
【補正の内容】
【手続補正３０】
【補正対象書類名】明細書
【補正対象項目名】００８６
【補正方法】削除
【補正の内容】
【手続補正３１】
【補正対象書類名】明細書
【補正対象項目名】００８７
【補正方法】削除
【補正の内容】
【手続補正３２】
【補正対象書類名】明細書
【補正対象項目名】００８８
【補正方法】削除
【補正の内容】
【手続補正３３】
【補正対象書類名】明細書
【補正対象項目名】００８９
【補正方法】変更
【補正の内容】
【００８９】
請求項４の発明では、請求項１ないし請求項３の発明において、送信器から受信器に電波が到達する距離を報知灯の点灯が視認可能な距離に一致させるように設定したので、送信器から送出する電波の強度を必要最小限にすることができ、送信器での電力消費の増加を抑制することができる。
【手続補正３４】
【補正対象書類名】明細書
【補正対象項目名】００９０
【補正方法】変更
【補正の内容】
【００９０】
請求項５の発明では、請求項１ないし請求項３の発明において、受信回路は送信器からの電波を待ち受ける期間には間欠駆動されるので、受信回路での消費電力が抑制されることによって受信器での消費電力の増加が抑制される。
【手続補正３５】
【補正対象書類名】明細書
【補正対象項目名】００９１
【補正方法】削除
【補正の内容】
【手続補正３６】
【補正対象書類名】明細書
【補正対象項目名】００９２
【補正方法】削除
【補正の内容】
【手続補正３７】
【補正対象書類名】明細書
【補正対象項目名】００９３
【補正方法】削除
【補正の内容】
【手続補正３８】
【補正対象書類名】明細書
【補正対象項目名】００９４
【補正方法】削除
【補正の内容】
【手続補正３９】
【補正対象書類名】明細書
【補正対象項目名】００９５
【補正方法】変更
【補正の内容】
【００９５】
請求項６の発明では、請求項１ないし請求項３の発明において、報知灯は、受信器を車両に固定した状態で光の放射方向が水平面に対して所定角度で斜め上向きになるように配置されているので、一般に人の目の高さよりも低い位置に取り付けられる受信器からの光を比較的近距離からでも視認しやすくなる。
【手続補正４０】
【補正対象書類名】明細書
【補正対象項目名】００９６
【補正方法】変更
【補正の内容】
【００９６】
請求項７の発明では、請求項１ないし請求項３の発明において、報知灯は、車両の少なくとも左方向および右方向に光を放射するように複数個配置されるとともに、受信器を車両に固定した状態で光の放射方向が水平面に対して所定角度で斜め上向きになるように配置されているので、一般に人の目の高さよりも低い位置に取り付けられる受信器からの光を比較的近距離からでも視認しやすく、しかも車両の側方から視認することが可能になる。
【手続補正４１】
【補正対象書類名】明細書
【補正対象項目名】００９７
【補正方法】削除
【補正の内容】
【手続補正４２】
【補正対象書類名】明細書
【補正対象項目名】００９８
【補正方法】削除
【補正の内容】
【手続補正４３】
【補正対象書類名】明細書
【補正対象項目名】００９９
【補正方法】削除
【補正の内容】
【手続補正４４】
【補正対象書類名】明細書
【補正対象項目名】０１００
【補正方法】削除
【補正の内容】
【手続補正４５】
【補正対象書類名】明細書
【補正対象項目名】０１０１
【補正方法】削除
【補正の内容】
【手続補正４６】
【補正対象書類名】明細書
【補正対象項目名】０１０２
【補正方法】削除
【補正の内容】
【手続補正４７】
【補正対象書類名】明細書
【補正対象項目名】０１０３
【補正方法】削除
【補正の内容】
【手続補正４８】
【補正対象書類名】明細書
【補正対象項目名】０１０４
【補正方法】削除
【補正の内容】
【手続補正４９】
【補正対象書類名】明細書
【補正対象項目名】０１０５
【補正方法】削除
【補正の内容】
【手続補正５０】
【補正対象書類名】明細書
【補正対象項目名】０１０６
【補正方法】削除
【補正の内容】
【手続補正５１】
【補正対象書類名】明細書
【補正対象項目名】０１０７
【補正方法】削除
【補正の内容】
【手続補正５２】
【補正対象書類名】明細書
【補正対象項目名】０１０８
【補正方法】削除
【補正の内容】
【手続補正５３】
【補正対象書類名】明細書
【補正対象項目名】０１０９
【補正方法】削除
【補正の内容】
【手続補正５４】
【補正対象書類名】明細書
【補正対象項目名】０１１０
【補正方法】削除
【補正の内容】
【手続補正５５】
【補正対象書類名】明細書
【補正対象項目名】０１１１
【補正方法】削除
【補正の内容】